(57)【要約】      （修正有）【課題】ノイズレスデザインを阻害することなく間接光を提供できるドア操作装置およびドアを提供する。【解決手段】ドア操作装置３が、ドア体を有するドアと共に使用される。ドア操作装置３は、少なくとも一部が、ドア体上から離間し、延在する、ドア操作に供される操作部３１と、操作部３１によって遮蔽される不可視領域に配置される発光部と、を備える。【選択図】図２
2019011672.tif 000002
【特許請求の範囲】
【請求項１】
ドア体を有するドアと共に使用されるドア操作装置であって、
少なくとも一部が、前記ドア体上から離間し、延在する、ドア操作に供される操作部と、
前記操作部によって遮蔽される不可視領域に配置される発光部と、を備えることを特徴とするドア操作装置。
【請求項２】
少なくとも一部が前記操作部と対向する基部をさらに備え、前記基部の少なくとも一部に前記不可視領域の一部が位置する、ことを特徴とする請求項１に記載のドア操作装置。
【請求項３】
前記操作部は、前記ドア体の表面から突出した部分を有するハンドル部である、ことを特徴とする請求項１または請求項２に記載のドア操作装置。
【請求項４】
前記ドア体の表面からドア内部方向へ陥設されて前記操作部を形成する凹部を備え、
前記操作部は、前記凹部上に位置する対向面から離間し、延在する手掛け部であり、
前記発光部は、前記凹部上に位置する前記不可視領域に配置される、ことを特徴とする請求項１または請求項２に記載のドア操作装置。
【請求項５】
ドア体と、
少なくとも一部が、前記ドア体上から離間し、延在する、ドア操作に供される操作部と、
前記操作部によって遮蔽される不可視領域に配置される発光部と、を備えることを特徴とするドア。
【請求項６】
前記操作部は、前記ドア体の表面から突出した部分を有するハンドル部である、ことを特徴とする請求項５に記載のドア。
【請求項７】
前記ドア体の表面からドア内部方向へ陥設されて前記操作部を形成する凹部を備え、
前記操作部は、前記凹部上に位置する対向面から離間し、延在する手掛け部であり、
前記発光部は、前記凹部上に位置する前記不可視領域に配置される、ことを特徴とする請求項５に記載のドア。
【発明の詳細な説明】
【技術分野】
【０００１】
本発明はノイズレスデザインを阻害しないドア操作装置およびドアに関する。
【０００２】
本件特許出願は、２０１７年６月３０日に出願した日本国特許出願２０１７−１２９１４４号に基づく優先権を主張し、上記日本国特許出願の全内容を参照によって援用する。
【背景技術】
【０００３】
近年、特に空間デザインにおけるデザイン様式の１つとして、凹凸、線や間隙などを可能な限り排除し、外観を最小限の要素によって構成するノイズレスデザインが提示されている。このノイズレスデザインは、主に他の要素との調和を目的として、特に建築物により創出される環境や空間における各設備に対して適用される。ここで、該当する設備としては、例えば、キッチン、入浴設備、収納設備、ドアなどが挙げられる。
【０００４】
また、昨今、ドアには錠前の動作を電気的に行う電気錠が備えられた電気錠システムが設けられ、この電気錠システムにおいて、電気錠による施解錠状態、更に、電気錠による施解錠が認証に基づく場合には認証状態を、視覚的手段、例えばＬＥＤによる発光によってユーザに報知する技術が知られている。
【０００５】
このような技術としては、例えば、ドア体に固定されるハンドルベースと、ハンドルベースに回転操作自在に連結されるハンドル体とを備え、ハンドル体には電気錠の施解錠制御ボタンと、ハンドル体の上面に目視可能に配置されて施解錠制御ボタンに対応して施解錠操作結果を表示する発光部とが配置されるハンドル装置、が知られている（例えば、特許文献１参照）。
【先行技術文献】
【特許文献】
【０００６】
【特許文献１】特開２００８−１７４９９２号公報
【発明の概要】
【発明が解決しようとする課題】
【０００７】
ノイズレスデザインを適用したドア、またはこのようなドアに備えられるハンドル装置において、施解錠に係る報知を発光により行う場合、特に発光されない状態においては発光部がノイズレスデザインを阻害するノイズとなり外観上好ましくない、という問題があった。
【０００８】
本発明は上述した問題点を解決するためになされたものであり、ノイズレスデザインを阻害することなく間接光を提供できるドア操作装置およびドアを提供することを目的とする。
【課題を解決するための手段】
【０００９】
本発明の一態様におけるドア操作装置は、ドア体を有するドアと共に使用されるドア操作装置であって、少なくとも一部が、前記ドア体上から離間し、延在する、ドア操作に供される操作部と、前記操作部によって遮蔽される不可視領域に配置される発光部と、を備えることを特徴とする。
【００１０】
本発明の一態様におけるドアは、ドア体と、少なくとも一部が、前記ドア体上から離間し、延在する、ドア操作に供される操作部と、前記操作部によって遮蔽される不可視領域に配置される発光部と、を備えることを特徴とする。
【発明の効果】
【００１１】
本発明によれば、操作部によって遮蔽される不可視領域に配置された発光部によって、ノイズレスデザインを阻害することなく間接光を提供できる。
【図面の簡単な説明】
【００１２】
【図１】第１の実施形態に係るドアの構成を示す概略図である。
【図２】第１の実施形態に係るハンドル装置の構成を示す斜視図である。
【図３】ハンドル体の後方面に発光部を配置したハンドル装置の構成を示す図１のＡ−Ａ線断面図である。
【図４】突出部の側方面に発光部を配置したハンドル装置の構成を示す図１のＡ−Ａ線断面図である。
【図５】基部の前方面に発光部を配置したハンドル装置の構成を示す図１のＡ−Ａ線断面図である。
【図６】制御装置のハードウェア構成を示すブロック図である。
【図７】制御装置の機能構成を示すブロック図である。
【図８】制御装置の動作を示すフローチャートである。
【図９】第２の実施形態に係るドアの構成を示す概略図である。
【図１０】第２の実施形態に係るハンドル装置の構成を示す斜視図である。
【図１１】第２の実施形態に係るハンドル装置の構成を示す断面図である。
【図１２】第３の実施形態に係るハンドル装置の構成を示す斜視図である。
【図１３】第３の実施形態に係るハンドル装置の構成を示す平面図である。
【図１４】第４の実施形態に係るハンドル装置の構成を示す斜視図である。
【図１５】第４の実施形態に係るハンドル装置の構成を示す断面図である。
【図１６】第５の実施形態に係るハンドル装置の構成を示す斜視図である。
【図１７】第５の実施形態に係るハンドル装置の構成を示す断面図である。
【図１８】第６の実施形態に係るドアの構成を示す斜視図である。
【図１９】第７の実施形態に係るドアの正面図である。
【図２０】第７の実施形態に係るハンドル装置を示すドアの一部拡大図である。
【図２１】第７の実施形態に係るハンドル部を示す断面図である。
【図２２】第８の実施形態に係るドアの正面図である。
【図２３】第８の実施形態に係る手掛け装置を示すドアの一部拡大図である。
【図２４】第８の実施形態に係る手掛け部を示す断面図である。
【図２５】第９の実施形態に係るドアの正面図である。
【図２６】第９の実施形態に係る手掛け部を示す断面図である。
【図２７】第１０の実施形態に係るドアの正面図である。
【図２８】第１０の実施形態に係る手掛け装置を示すドアの一部拡大図である。
【図２９】第１０の実施形態に係る手掛け部の断面図である。
【図３０】変形例に係る手掛け部を示す断面図である。
【図３１】変形例に係る手掛け部を示す断面図である。
【発明を実施するための形態】
【００１３】
以下、本発明の実施の形態について図面を参照しつつ説明する。以下の実施形態において説明される「ハンドル部」および「手掛け部」は「操作部」の下位概念として例示するものであり、「ハンドル装置」および「手掛け装置」は「ドア操作装置」の下位概念として例示するものである。
【００１４】
＜第１の実施形態＞
（ハンドル装置の構成）
まず、第１の実施形態に係るハンドル装置の構成について説明する。図１は、第１の実施形態に係るドアの構成を示す概略図である。図２は、第１の実施形態に係るハンドル装置の構成を示す斜視図である。なお、図１は、室外側からドアを見た状態を示す。
【００１５】
図１に示すように、本実施形態に係るドア２は、部屋を画成する壁１００に形成され、枠体１により縁取られ、室内に連通する開口を塞ぐ板状の部材（ドア体）である。このドア２は、左右方向一方（図１における右側）の一辺がこの辺方向を向く軸周りに回動可能に枠体１に軸支されることにより、開閉可能となった、所謂開き戸として構成されているが、折れ戸や引き戸として構成しても良く、どのような種類のドアであっても良い。なお、以降の説明においては、室外側を前方、室内側を後方、前後方向（ｙ方向）及び上下方向（ｚ方向）に直交する方向を左右方向（ｘ方向）とする。
【００１６】
また、ドア２における左右方向他方（図１における左側）には、ハンドル装置３が配置されており、このハンドル装置３は、ドア２の一部を構成するように、具体的には、ドア２とハンドル装置３とにより１つの外形を成すように一体的に形成される。すなわち、ハンドル装置３は、ドア体を有するドア２と共に使用される。なお、ハンドル装置３は、図示の通り、本実施形態では室外側に取付けられているが、ドア２の室外側、室内側のどちらに取付けられても良い。
【００１７】
図２に示すように、ハンドル装置３は、所定の高さを有し、ドア２に固定可能に構成された略板状の基部３０と、基部３０においてドア２が取り付けられる面とは反対側の面、本実施形態においては前面側に設けられ、断面略Ｌ字形に形成された、ドア２を開閉させるためのハンドル部３１とを備える。また、ハンドル装置３は、図２には図示されない、スイッチ３２、発光部３３、アンテナ３５、電気錠３６、制御装置４０、を備える（図６参照）。ここで、電気錠３６は、アクチュエータにより駆動されるデッドボルトを備えてドア２を施解錠する。アンテナ３５は、電気錠３６に対する鍵であり、一意な識別情報である鍵ＩＤを含む鍵ＩＤ情報が格納された非接触ＩＣチップを備えたＩＤキーと無線通信を行って鍵ＩＤ情報を読み取る。制御装置４０は、ＩＤキーに対する認証を行い、この認証に基づいて電気錠３６によるドア２の施解錠を制御する。スイッチ３２は、例えば静電容量センサであり、電気錠３６による解錠のトリガとして機能する。発光部３３は、例えばＬＥＤであり、ＩＤキーに対する認証状態及び電気錠３６による施解錠状態を点灯によってハンドル装置３のユーザに報知する。
【００１８】
基部３０は、ハンドル部３１が接続される第１部分３０１と、第１部分３０１に対して左右方向においてドア２が軸支される側に設けられる第２部分３０２と、第１部分３０１と第２部分３０２とを接続する第３部分３０３とを有する。第２部分３０２の前方面３０２ａは第１部分３０１の前方面３０１ａに対して所定距離Ｄだけ前方に位置し、このため、第３部分３０３の前方側の面は、第１部分３０１側から第２部分３０２側にかけて前方に傾斜する傾斜面３０３ａとして形成されている。上記から自明である通り、上記した前方面３０１ａ、前方面３０２ａ、および傾斜面３０３ａは、ドア２（ドア体）の表面を構成する。
【００１９】
ハンドル部３１は、前方に（すなわち、ドア体の表面から）突出する突出部３１１とこの突出部３１１の前方に接続され、左右方向一方（図３における右側）、具体的には、第２部分３０２が設けられる側であって、実施形態においてはドア２が軸支される側に突出するハンドル体３１２とを有する。上記から自明である通り、ハンドル体３１２を含むハンドル部３１は、ドア２を開閉させるためにユーザの把持に供される部分（すなわち、ドア操作に供される部分）である。突出部３１１には、左右方向におけるハンドル体３１２の突出側（図３における右側）に側方面３１１ａが形成される。また、ハンドル体３１２には、第１部分３０１の前方面３０１ａと互いに対向する後方面３１２ａが後方側に形成される。上記から自明である通り、ハンドル部３１の一部であるハンドル体３１２は、ドア体上から離間し延在する。なお、ハンドル体３１２は、その突出方向先端が左右方向において第３部分３０３よりも所定距離Ｗだけ突出部３１１側（図３における左側）に位置するように形成されると良い。また、図２および図３等から自明であるが、基部３０の一部（第１部分３０１）が、ハンドル体３１２を含むハンドル部３１と対向している。
【００２０】
（発光部の配置位置）
次に、発光部の配置位置について説明する。図３は、ハンドル体の後方面に発光部を配置したハンドル装置の構成を示す図１のＡ−Ａ線断面図である。図４は、突出部の側方面に発光部を配置したハンドル装置の構成を示す図１のＡ−Ａ線断面図である。図５は、基部の前方面に発光部を配置したハンドル装置の構成を示す図１のＡ−Ａ線断面図である。
【００２１】
図３に示すように、本実施形態において、スイッチ３２、発光部３３は、ハンドル部３１のハンドル体３１２の後方面３１２ａに配置される。上記（特に、図２および図３）から自明である通り、後方面３１２ａは、ハンドル部３１（ハンドル体３１２）自体によって遮蔽されているので、前方に位置するユーザから見えない（すなわち、正面視で視認されない）不可視領域を構成する。すなわち、スイッチ３２および発光部３３は、ハンドル部３１によって遮蔽される不可視領域に配置される。ここで、ハンドル体３１２が、その先端が距離Ｗだけ第３部分３０３より左方に位置するように形成されることによって、ユーザがハンドル体３１２の後方面３１２ａに配置されたスイッチ３２を操作することが容易となる。
【００２２】
ユーザは、ドア２の開閉動作を行う際にハンドル体３１２を把持する。ハンドル体３１２を把持する際、ユーザが、ハンドル体３１２の後方面３１２ａに手を掛ける蓋然性が高いことは、自明である。上記したように、開閉時にユーザが触れる蓋然性が高い後方面３１２ａにスイッチ３２を配置することによって、スイッチ３２の操作とドア２の開閉動作とを別個にユーザが行う必要が回避されるので、ユーザの利便性が向上する。
【００２３】
また、発光部３３をハンドル体３１２の後方面３１２ａ（すなわち、ハンドル部３１によって遮蔽される不可視領域）に配置することによって、ハンドル装置３のユーザから発光部３３が視認されず、ノイズレスデザインを阻害することなく、ＩＤキーに対する認証状態及び電気錠３６による施解錠状態を間接光によりユーザに報知することができる。そのため、基部３０１の前方面３０１ａ、突出部３１１の側方面３１１ａ、ハンドル体３１２の後方面３１２ａは、所定以上の光反射率を有するように形成されると良い。また、基部３０の第３部分３０３に形成された傾斜面３０３ａによって、発光部３３による間接光を前方へ向けることができ、延いては、発光部３３の発光効率を向上させることができる。
【００２４】
なお、発光部３３は、上下方向においてスイッチ３２と同じ位置（すなわち、スイッチ３２と同一の高さ）、更には左右方向においてスイッチ３２よりも突出部３１１側に設けられると良く、これによって、発光部３３の点灯による報知において、スイッチ３２の位置をもユーザに知らせることができ、延いてはスイッチ３２の操作をユーザに催すことができる。
【００２５】
また、図４に示すように、発光部３３を、ハンドル部３１の突出部３１１の側方面３１１ａに配置しても良い。このように配置することによって、発光部３３による光の照射方向をハンドル体３１２の突出方向に向けることができ、発光部３３の発光効率を向上させることができる。なお、上記（特に、図２および図４）から自明である通り、側方面３１１ａは、ハンドル体３１２によって遮蔽されているので、前方に位置するユーザから見えない（すなわち、正面視で視認されない）不可視領域を構成する。すなわち、発光部３３は、ハンドル部３１によって遮蔽される不可視領域に配置される。
【００２６】
また、図５に示すように、発光部３３を、基部３０の第１部分３０１の前方面３０１ａに、具体的には、左右方向における突出部３１１の側方面３１１ａから、ハンドル体３１２の突出方向先端までの範囲Ｓ内に収まる前方面３０１ａ上に配置しても良い。この前方面３０１ａ上における範囲Ｓ内に収まる部分は、言い換えれば、前方面３０１ａにおけるハンドル体３１２と対向する部分である。このように配置することによって、スイッチ３２から発光部３３を離間させることができ、ノイズレスデザインを阻害しない光によるユーザへの報知において、ハンドル装置３の設計の自由度を向上させることができる。なお、上記（特に、図２および図５）から自明である通り、前方面３０１ａは、ハンドル体３１２によって遮蔽されているので、前方に位置するユーザから見えない（すなわち、正面視で視認されない）不可視領域を構成する。すなわち、基部３０の一部（前方面３０１ａ）に不可視領域の一部が形成され、発光部３３は、ハンドル部３１によって遮蔽される不可視領域に配置される。
【００２７】
このように、発光部３３を、ハンドル部３１のハンドル体３１２の後方面３１２ａ、ハンドル部３１の突出部３１１の側方面３１１ａ、または、基部３０の第１部分３０１の前方面３０１ａにおける範囲Ｓ内に配置することによって、つまり、ハンドル装置３を前方から見た場合にハンドル体３１２の陰となる位置（すなわち、ハンドル体３１２によって遮蔽され正面視で視認されない不可視領域）に発光部３３を配置することによって、発光部３３をユーザに視認されないものとしつつ光による報知を行うことができる。なお、発光部３３は、ハンドル体３１２の後方面３１２ａ、ハンドル部３１の突出部３１１の側方面３１１ａ、範囲Ｓ内に収まる前方面３０１ａ（すなわち、不可視領域）上の少なくともいずれかに配置されていれば良い。例えば、発光部３３を後方面３１２ａから側方面３１１ａにかけて一体的に配置すること、発光部３３を側方面３１１ａから前方面３０１ａにおける範囲Ｓ内にかけて一体的に配置すること、発光部３３を後方面３１２ａ、側方面３１１ａ、前方面３０１ａにおける範囲Ｓ内に亘って一体的に配置することなどが考えられる。また、例えば、発光部３３を、後方面３１２ａ、側方面３１１ａ、前方面３０１ａにおける範囲Ｓ（すなわち、不可視領域）内のうち、２箇所以上の位置に複数設けるようにしても良い。
【００２８】
（制御装置の構成）
次に、認証に基づいて電気錠による施解錠を制御する制御装置の構成及び動作について説明する。図６は、制御装置のハードウェア構成を示すブロック図である。図７は、制御装置の機能構成を示すブロック図である。
【００２９】
図６に示すように、制御装置４０は、ハードウェアとして、ＣＰＵ（Ｃｅｎｔｒａｌ  Ｐｒｏｃｅｓｓｉｎｇ  Ｕｎｉｔ）４１、ＲＡＭ（Ｒａｎｄｏｍ  Ａｃｃｅｓｓ  Ｍｅｍｏｒｙ）４２、記憶装置４３、入出力ＩＦ（ＩｎｔｅｒＦａｃｅ）４５を備える。ＣＰＵ４１とＲＡＭ４２は、協働して後述する各種機能を実行する。記憶装置４３は、ＣＰＵ４１及びＲＡＭ４２により実行される各種機能に係るデータを記憶する。入出力ＩＦ４５は、スイッチ３２、発光部３３、アンテナ３５、電気錠３６のそれぞれとＣＰＵ４１とが通信するためのインターフェイスである。
【００３０】
図７に示すように、制御装置４０は、ＣＰＵ４１及びＲＡＭ４２により実行される機能として、ＩＤキーに対する認証を行う認証部４０１と、認証部４０１による認証結果に基づいて電気錠３６を制御する制御部４０２と、認証部４０１による認証状態、及び制御部４０２による電気錠３６の施解錠状態について発光部３３を発光させてユーザに報知する報知部４０３とを備える。
【００３１】
（制御装置の動作）
次に、制御装置の動作について説明する。図８は、制御装置の動作を示すフローチャートである。
【００３２】
図８に示すように、まず、認証部４０１は、アンテナ３５によりＩＤキーから鍵ＩＤ情報が取得されたか否かを判定する（Ｓ１０１）。
【００３３】
鍵ＩＤ情報が取得された場合（Ｓ１０１，ＹＥＳ）、認証部４０１は、取得された鍵ＩＤ情報に含まれる鍵ＩＤが予め登録された鍵ＩＤと一致するか否かを判定する（Ｓ１０２）。ここで、認証部４０１は、具体的には、取得された鍵ＩＤと記憶装置４３に記憶された鍵ＩＤとの比較を行う。
【００３４】
取得された鍵ＩＤが予め登録された鍵ＩＤと一致する場合（Ｓ１０２，ＹＥＳ）、報知部４０３が発光部３３を第１の発光パターンにより発光させ（Ｓ１０３）、その後、制御部４０２が、スイッチ３２がＯＮであるか否かを判定する（Ｓ１０４）。
【００３５】
スイッチ３２がＯＮである場合（Ｓ１０４，ＹＥＳ）、制御部４０２が電気錠３６を解錠状態とし（Ｓ１０５）、その後、報知部４０２が、発光部３３を第１の発光パターンとは異なる第２の発光パターンにより発光させ（Ｓ１０６）、本フローが終了する。
【００３６】
一方、スイッチ３２がＯＦＦである場合（Ｓ１０４，ＮＯ）、報知部４０２は、再度、発光部３３を第１発光パターンにより発光させる（Ｓ１０６）。
【００３７】
また、ステップＳ１０２において、取得された鍵ＩＤが予め登録された鍵ＩＤと一致しない場合（Ｓ１０２，ＮＯ）、報知部４０２は、発光部３３を第１及び第２の発光パターンとは異なる第３の発光パターンにより発光させ（Ｓ１０７）、本フローが終了する。
【００３８】
また、ステップＳ１０１において、鍵ＩＤ情報が取得されない場合（Ｓ１０１，ＮＯ）、認証部４０１は、再度、アンテナ３５によりＩＤキーから鍵ＩＤ情報が取得されたか否かを判定する（Ｓ１０１）。
【００３９】
このような制御装置４０の動作において、第１〜第３の発光パターンは、互いに発光の仕方が異なっていれば良く、例えば、点滅回数や点灯時間を互いに異ならせたり、発光部３３をフルカラーＬＥＤとして発光色を異ならせたりしても良い。また、スイッチ３２と発光部３３とを互いに同じ高さ位置とすることによって、ステップＳ１０２の認証が成功した場合に認証が成功したことを示すと同時に、スイッチ３２の操作をユーザに催すことができる。
【００４０】
＜第２の実施形態＞
次に、第２の実施形態について説明する。本実施形態においては、ハンドル装置の構成が第１の実施形態とは異なり、また、これに伴ってドアの構成も第１の実施形態とは異なる。図９は、第２の実施形態に係るドアの構成を示す概略図である。図１０は、第２の実施形態に係るハンドル装置の構成を示す斜視図である。図１１は、第２の実施形態に係るハンドル装置の構成を示す断面図である。なお、図１１は、前後方向（ｙ方向）軸及び上下方向（ｚ方向）軸を有する平面（ｙｚ平面）により切断した基部及びハンドル部の断面を側方から見た図である。
【００４１】
図９に示すように、本実施形態に係るドア２ａは、第１の実施形態に係るハンドル装置３とは異なるハンドル装置５が配置される点で第１の実施形態に係るドア２とは異なり、また、これによって、ドア２ａは、室外側の略全面が平面に形成される点がドア２とは異なる。
【００４２】
図１０及び図１１に示すように、本実施形態に係るハンドル装置５は、ドア２ａに固定可能に構成された板状の座であり、ドア２ａのドア面と協働して平面を形成するエスカチオンとして構成された基部５０と、基部５０においてドア２ａが取り付けられる面とは反対側の面、本実施形態においては前面側に設けられ、側方から見て略Ｕ字状に形成された、ドア２ａを開閉させるためのハンドル部５１とを備える。すなわち、ハンドル装置５は、ドア体を有するドア２ａと共に使用され、基部５０の一部は、ハンドル部５１と対向する。また、ハンドル装置５は、図９〜図１１に図示されないアンテナ３５、電気錠３６、制御装置４０、を備えるものとする。
【００４３】
ハンドル部５１は、所謂グリップハンドルタイプのハンドルであり、基部５０から前方に突出する第１突出部５１１と、この第１突出部５１１の下方に離間した位置に設けられて基部５０から前方に突出する第２突出部５１２と、第１突出部５１１と第２突出部５１２とをこれらの前方側において接続するハンドル体５１３とを有する。上記から自明である通り、ハンドル体５１３は、ドア２ａを開閉させるためにユーザの把持に供される部分（すなわち、ドア操作に供される部分）である。ハンドル体５１３は、第１突出部５１１から下方に突出するように、または第２突出部からは上方に突出するように、上下方向に延在する。上記から自明である通り、ハンドル部５１の一部であるハンドル体５１３は、ドア２ａのドア面（ドア体上）から離間し延在する。
【００４４】
ハンドル体５１３における後方面５１３ａ（すなわち、ハンドル部５１によって遮蔽される不可視領域）には、第１の実施形態におけるスイッチ３２及び発光部３３と同様の機能を有するスイッチ５２及び発光部５３が設けられ、スイッチ５２と発光部５３とは、発光部５３がスイッチ５２自体を発光させるように略同位置に配置される。なお、ハンドル体５１３にスイッチ５２のみを設け、基部５０においてハンドル体５１３の後方面５１３ａと対向する領域（すなわち、基部５０の一部である不可視領域）に発光部５３’を設けても良い。このように発光部５３または５３’を不可視領域に設けることによって、発光部５３をハンドル装置５またはドア２ａの前面に設けることなく、即ち、ノイズレスデザインを阻害することなく、スイッチ５２の位置を発光によってユーザに報知できる。なお、スイッチ５２、発光部５３及び５３’は、第１の実施形態と同様に、それぞれ、静電容量センサ、ＬＥＤとして構成されているものとする。
【００４５】
＜第３の実施形態＞
次に、第３の実施形態について説明する。本実施形態においては、ハンドル部の構成が第２の実施形態とは異なる。図１２は、第３の実施形態に係るハンドル装置の構成を示す斜視図である。図１３は、第３の実施形態に係るハンドル装置の構成を示す平面図である。なお、図１３においては一部が断面として示される。
【００４６】
図１２及び図１３に示すように、本実施形態に係るハンドル装置６は、第２の実施形態と同様にエスカチオンとして構成された基部６０と、基部６０の前面側に設けられ、上下方向（ｚ方向）のいずれか一方から見て略Ｕ字状に形成された、ドア２ａを開閉させるためのハンドル部６１を備える。すなわち、ハンドル装置６は、ドア体を有するドア２ａと共に使用され、基部６０の一部は、ハンドル部６１と対向する。また、ハンドル装置６は、図１２及び図１３に図示されないアンテナ３５、電気錠３６、制御装置４０、を備えるものとする。
【００４７】
ハンドル部６１は、所謂グリップハンドルタイプのハンドルであり、基部６０から前方に突出する第１突出部６１１と、この第１突出部６１１に対して左右方向一方（図１２，１３においては左方）に離間して設けられて前方に突出する第２突出部６１２と、第１突出部６１１と第２突出部６１２とをこれらの前方側において接続するハンドル体６１３とを有する。上記から自明である通り、ハンドル体６１３は、ドア２ａを開閉させるためにユーザの把持に供される部分（すなわち、ドア操作に供される部分）である。ハンドル体６１３は、第１突出部６１１から左方に突出するように、または第２突出部６１２から右方に突出するように、左右方向に延在する。上記から自明である通り、ハンドル部６１の一部であるハンドル体６１３は、ドア２ａのドア面（ドア体上）から離間し延在する。
【００４８】
ハンドル体６１３における後方面６１３ａ（すなわち、ハンドル部６１によって遮蔽される不可視領域）には、第１の実施形態におけるスイッチ３２及び発光部３３と同様の機能を有するスイッチ６２及び発光部６３が設けられ、スイッチ６２と発光部６３とは、発光部６３がスイッチ６２自体を発光させるように略同位置に設けられる。なお、ハンドル体６１３にスイッチ６２のみを設け、基部６０においてハンドル体６１３の後方面６１３ａと対向する領域（すなわち、基部６０の一部である不可視領域）に発光部６３’を設けても良い。また、スイッチ６２は、静電容量センサではなく、前方に押圧可能な物理スイッチとして構成され、発光部６３は、第１の実施形態と同様にＬＥＤとして構成されているものとする。
【００４９】
＜第４の実施形態＞
次に、第４の実施形態について説明する。本実施形態においては、ハンドル部の構成が第２及び第３の実施形態とは異なる。図１４は、第４の実施形態に係るハンドル装置の構成を示す斜視図である。図１５は、第４の実施形態に係るハンドル装置の構成を示す断面図である。なお、図１５は、前後方向（ｙ方向）軸及び左右方向（ｘ方向）軸を有する平面（ｘｙ平面）により切断した基部及びハンドル部の断面を上方から見た図である。
【００５０】
図１４及び図１５に示すように、本実施形態に係るハンドル装置７は、第２及び第３の実施形態と同様にエスカチオンとして構成された基部７０と、基部７０の前面側に設けられ、上下方向のいずれか一方から見て略Ｌ字状に形成された、ドア２ａを開閉させるためのハンドル部７１を備える。すなわち、ハンドル装置７は、ドア体を有するドア２ａと共に使用され、基部７０の一部は、ハンドル部７１と対向する。また、ハンドル装置７は、図１４及び図１５に図示されないアンテナ３５、電気錠３６、制御装置４０、を備えるものとする。
【００５１】
ハンドル部７１は、所謂レバーハンドルタイプのハンドルであり、基部７０から前方に突出する突出部７１１と、この突出部７１１から左右方向一方（図１４及び図１５における右方）に突出するハンドル体７１２とを有する。上記から自明である通り、ハンドル部７１の一部であるハンドル体７１２は、ドア２ａのドア面（ドア体上）から離間し延在する。上記から自明である通り、ハンドル体７１２は、ドア２ａを開閉させるためにユーザの把持に供される部分（すなわち、ドア操作に供される部分）である。
【００５２】
ハンドル体７１２における後方面７１２ａ（すなわち、ハンドル部７１によって遮蔽される不可視領域）には、第１の実施形態におけるスイッチ３２及び発光部３３と同様の機能を有するスイッチ７２及び発光部７３が設けられ、スイッチ７２と発光部７３とは、発光部７３がスイッチ７２自体を発光させるように略同位置に設けられる。なお、ハンドル体７１２にスイッチ７２のみを設け、基部７０においてハンドル体７１２の後方面７１２ａと対向する領域（すなわち、基部７０の一部である不可視領域）に発光部７３’を設けても良い。また、スイッチ７２、発光部７３は、第１の実施形態と同様に、それぞれ、静電容量センサ、ＬＥＤとして構成されているものとする。
【００５３】
＜第５の実施形態＞
次に、第５の実施形態について説明する。本実施形態においては、ハンドル部の構成が第２〜第４の実施形態とは異なる。図１６は、第５の実施形態に係るハンドル装置の構成を示す斜視図である。図１７は、第５の実施形態に係るハンドル装置の構成を示す断面図である。なお、図１７は、前後方向（ｙ方向）軸及び左右方向（ｘ方向）軸を有する平面（ｘｙ平面）により切断した基部及びハンドル部の断面を上方から見た図である。
【００５４】
図１６及び図１７に示すように、本実施形態に係るハンドル装置８は、第２〜第４の実施形態と同様にエスカチオンとして構成された基部８０と、基部８０の前面側に設けられ、上下方向のいずれか一方から見て略Ｌ字状に形成された、ドア２ａを開閉させるためのハンドル部８１を備える。すなわち、ハンドル装置８は、ドア体を有するドア２ａと共に使用され、基部８０の一部または全部が、ハンドル部８１と対向する。また、ハンドル装置８は、図１６及び図１７に図示されないアンテナ３５、電気錠３６、制御装置４０、を備えるものとする。
【００５５】
ハンドル部８１は、所謂プレートハンドルタイプのハンドルであり、基部８０から前方に突出する突出部８１１と、この突出部８１１の前方端部に設けられて左右方向一方（図１６及び図１７における右方）に延在するハンドル体８１２とを有する。上記から自明である通り、ハンドル部８１の一部であるハンドル体８１２は、ドア２ａのドア面（ドア体上）から離間し延在する。上記から自明である通り、ハンドル体８１２は、ドア２ａを開閉させるためにユーザの把持に供される部分（すなわち、ドア操作に供される部分）である。このハンドル体８１２は、突出部８１１に対して高さ方向のサイズが大きく形成されており、略平板上に形成される。
【００５６】
ハンドル体８１２における後方面８１２ａ（すなわち、ハンドル部８１によって遮蔽される不可視領域）には、第１の実施形態におけるスイッチ３２及び発光部３３と同様の機能を有するスイッチ８２及び発光部８３が設けられ、スイッチ８２と発光部８３とは、発光部８３がスイッチ８２自体を発光させるように略同位置に設けられる。なお、ハンドル体８１２にスイッチ８２のみを設け、基部８０においてハンドル体８１２の後方面８１２ａと対向する領域（すなわち、基部８０の全部または一部である不可視領域）に発光部８３’を設けても良い。また、スイッチ８２、発光部８３及び８３’は、第１の実施形態と同様に、それぞれ、静電容量センサ、ＬＥＤとして構成されているものとする。
【００５７】
上述した第１〜第５の実施形態においては、本発明に係るハンドル装置は、基部から前後方向に突出する少なくとも１つの突出部と、この突出部から突出部の突出方向と略直交する一方向（上下方向軸及び左右方向軸を有する平面と略平行する一方向）に向けて延在するハンドル体とを有したものとしたが、ハンドル体は、突出部の突出方向に交差する一方向に延在するものであれば良い。上記から自明である通り、ハンドル部の一部であるハンドル体は、ドア面から離間し延在する任意の構成であり得る。例えば、ハンドル体の延在方向を、上下方向または左右方向から傾斜させても良く、また、上下方向軸及び左右方向軸を有する平面に対して傾斜させても良い。
【００５８】
また、第２〜第５の実施形態におけるハンドル装置についても、突出部におけるハンドル体が延在する側の側面に発光部を配置しても良い。
【００５９】
＜第６の実施形態＞
次に、第６の実施形態について説明する。本実施形態においては、ハンドル装置ではなくドアに発光部を設ける点が第１〜第５の実施形態とは異なる。また、本実施形態のハンドル装置は、エスカチオン等の基部を有さない。図１８は、第６の実施形態に係るドアの構成を示す斜視図である。
【００６０】
図１８に示すように、本実施形態に係るドア２ｂは、第１〜第５の実施形態におけるドア２及びドア２ａと同様に、部屋を画成する壁１００に形成され、枠体１により縁取られ、室内に連通する開口を塞ぐ板状の部材である。より具体的には、ドア２ｂは、前後方向両側、即ち、室外側及び室内側のそれぞれにドア面２０ａ、ドア面２０ｂが形成された板状のドア体２０を備える。このドア２ｂは、左右方向一方（図１８における右側）の一辺がこの辺方向を向く軸周りに回動可能に枠体１に軸支されることにより、開閉可能となった、所謂開き戸として構成されているが、折れ戸や引き戸として構成しても良く、どのような種類のドアであっても良い。
【００６１】
このドア２ｂの室外側の面であるドア面２０ａには、第２の実施形態に係るハンドル装置５から基部５０を取り除いた形態の、所謂グリップハンドルタイプのハンドルであるハンドル装置９が設けられる。このハンドル装置９は、ドア面２０ａから前方に突出する第１突出部９１１と、この第１突出部９１１の下方に離間した位置に設けられてドア面２０から前方に突出する第２突出部９１２と、第１突出部９１１と第２突出部９１２とをこれらの前方側において接続するハンドル体９１３とを有する。上記から自明である通り、ハンドル装置９の一部であるハンドル体９１３は、ドア体２０（より詳細には、ハンドル体９１３に対向するドア体２０の対向面）から離間し延在する。上記から自明である通り、ハンドル体９１３は、ドア２ｂを開閉させるためにユーザの把持に供される部分（すなわち、ドア操作に供される部分）である。
【００６２】
このようなハンドル装置９におけるハンドル体９１３において、ドア面２０ａと対向する面である後方面９１３ａ（すなわち、ハンドル体９１３によって遮蔽される不可視領域）には、第１の実施形態におけるスイッチ３２と同様の機能を有するスイッチ９２が設けられる。また、ドア２ｂのドア面２０ａにおけるハンドル体９１３の後方面９１３ａと対向する領域（すなわち、ハンドル体９１３によって遮蔽される不可視領域）には、第１の実施形態における発光部３３と同様の機能を有する発光部２１が設けられる。これにより、発光部２１をハンドル装置９またはドア２ｂにおいて利用者から容易に発光部２１自体を認識可能な位置に設けることなく、即ち、ノイズレスデザインを阻害することなく、スイッチ９２の位置を発光によってユーザに報知できる。なお、スイッチ９２及び発光部２１は、第１の実施形態と同様に、それぞれ、静電容量センサ、ＬＥＤとして構成されているものとする。
【００６３】
なお、ドア２ｂは、少なくとも、図１８に図示されない電気錠３６をドア体２０内部に内蔵して備えるものとし、更には、図示されないアンテナ３５及び制御装置４０を内蔵して備えても良く、アンテナ３５及び制御装置４０のうち、ドア２ｂに備えられない構成要素をハンドル装置９に備えるようにしても良い。また、ハンドル装置９を室内側のドア面２０ｂに設けるようにしても良い。また、ドア２ｂに設けられるハンドル装置９は、第１〜第５の実施形態と同様に、ドア面２０ａから前後方向に突出する少なくとも１つの突出部と、突出部の突出方向に交差する一方向に延在するものであれば良い。上記から自明である通り、ハンドル装置９の一部であるハンドル体９１３は、ドア体２０上（より詳細には、ハンドル体９１３に対向するドア体２０の対向面）から離間し延在する任意の構成であり得る。
【００６４】
＜第７の実施形態＞
次いで、第７の実施形態を説明する。本実施形態においては、第６の実施形態と同様、基部を有さないハンドル装置が、直接的にドアに接続する。また、第１から第６の実施形態と同様、ハンドル部によって遮蔽されることで形成される不可視領域に発光体が配置される。なお、本明細書における「不可視領域」とは、非限定的に例示すると、ユーザからの正面視で視認されない領域のことである。
【００６５】
図１９は、第７の実施形態のドア２ｂを示す正面図である。壁１００は、部屋を構成し部屋の区画を規定する（すなわち、部屋を画成する）。壁１００に形成された矩形状の開口は、枠体１によって縁取られ、室内に連通する。ドア２ｂは、上記した矩形状の開口を塞ぐように設けられる。ドア２ｂは、室外側にドア面２０ａが形成され、室内側にドア面２０ｂが形成された板状の部材であるドア体２０を有する。
【００６６】
ドア２ｂは、蝶番等によって枠体１の１辺（図１９では右辺）に回動可能に取り付けられる。すなわち、ドア２ｂは、枠体１の１辺を軸として回動する開き戸である。なお、前述の実施形態と同様、ドア２ｂに関して任意の開閉機構を採用可能であり、例えば、ドア２ｂが折れ戸や引き戸として構成されてもよい。
【００６７】
図２０は、ドア２ｂに設けられたハンドル装置１０を示す一部拡大斜視図である。ドア２ｂの開閉に用いられるハンドル部１０１を備えたハンドル装置１０は、ドア面２０ａ（図１９の左辺近傍）上に設けられる。ハンドル部１０１は、ドア面２０ａから前方に向けて（前後方向，ｙ方向に）アーチ状に突出することにより開閉時にユーザの把持に供される。すなわち、ハンドル部１０１は、ユーザによるドア操作に供される部分であって、ドア体２０の表面（ドア面２０ａ）から突出する部分を有する。ハンドル部１０１の上部１０１ａおよび下部１０１ｂは、それぞれ、ドア面２０ａに直接的に接続している。すなわち、本実施形態のドア体２０およびハンドル装置１０は、一体不可分に構成されている。
【００６８】
ハンドル部１０１のうち突出した部分である中央部１０１ｃは、中央部１０１ｃの後方面１０１ｄに対向したドア面２０ａである対向面２０ｃから離間しつつ、屈曲しながら上下方向に延在している。ハンドル部１０１とドア体２０との間には間隙が存在する。この間隙を取り囲む後方面１０１ｄおよび対向面２０ｃは、ハンドル部１０１によって遮蔽される不可視領域である。
【００６９】
図２１は、ハンドル部１０１を示す断面図である。図２１は、前後方向（ｙ方向）および上下方向（ｚ方向）に拡がる平面（ｙｚ平面）により切断したハンドル部１０１およびドア体２０の断面を側方から見た図である。
【００７０】
ハンドル部１０１は、第１の実施形態のスイッチ３２と同様に機能するスイッチ１０２を備える。スイッチ１０２は、不可視領域であるハンドル部１０１の後方面１０１ｄに配置される。なお、スイッチ１０２が、ドア体２０の対向面２０ｃに配置されてもよい。
【００７１】
ハンドル部１０１は、第１の実施形態の発光部３３と同様に機能する発光部１０３を備える。発光部１０３は、不可視領域内の任意の位置に配置され得る。発光部１０３は、例えば、ハンドル部１０１の後方面１０１ｄおよびドア体２０の対向面２０ｃのいずれか一方または双方に設けられる。
【００７２】
本実施形態では、以上のように、ハンドル装置１０やドア２ｂの前面（すなわち、可視領域）ではなく不可視領域に発光部１０３が設けられているので、ノイズレスデザインを阻害することなく、間接光をユーザに提供することが可能である。また、スイッチ１０２と発光部１０３とが略同位置に配置されているので、スイッチ１０２の位置を発光部１０３の発光によってユーザに報知することが可能である。
【００７３】
＜第８の実施形態＞
次いで、第８の実施形態を説明する。第１から第７の実施形態では、ドア操作に供される操作部として「ハンドル部」が例示されているが、以降の実施形態では、操作部の別の例としての「手掛け部」が提示される。
【００７４】
概略的に説明すると、手掛け部は、ドア体の表面からドア内部方向へ陥設された凹部上に位置する対向面から離間し延在する構成要素である。手掛け部に遮蔽されることによって凹部上に不可視領域が構成される。操作部によって遮蔽される不可視領域に発光部が配置されることは、前述の実施形態と同様である。
【００７５】
図２２は、第８の実施形態のドア２ｃを示す正面図である。本実施形態に係るドア２ｃは、前述の実施形態にて説明されるドア２（２ａ，２ｂ）と同様に、部屋を画成する壁１００に形成された矩形状の開口を塞ぐように設けられる。ドア２ｃは、室外側にドア面２０ａが形成され、室内側にドア面２０ｂが形成された板状の部材であるドア体２０を有する。本実施形態のドア２ｃは、左右方向（ｘ方向）いずれかの縦辺（図２２の右側に位置する辺）に回動可能にて軸支される。ただし、前述の実施形態と同様、ドア２ｃに関して任意の開閉機構を採用可能であることは当然である。ドア２ｃには、上下方向（ｚ方向）に延在する手掛け装置１１が設けられる。
【００７６】
図２３は、ドア２ｃに設けられた手掛け装置１１を示す一部拡大斜視図である。ドア２ｃの開閉に用いられる手掛け部１１１を備えた手掛け装置１１は、ドア２ｃの左辺全体に亘って（すなわち、ドア２ｃの左辺の上端から下端にかけて）設けられる。なお、手掛け装置１１は、ドア２ｃと一体として成形されてもよく（すなわち、手掛け部１１１を備えたドア２ｃとして成形されてもよく）、各々個別に成形された後に互いに組み合わされてもよい。
【００７７】
図２４は、手掛け部１１１を示す断面図である。図２４は、左右方向（ｘ方向）および前後方向（ｙ方向）に拡がる平面（ｘｙ平面）により切断した手掛け部１１１、手掛け装置１１、およびドア体２０の断面を上方から見た図である。
【００７８】
図２２ないし図２４に示すように、本実施形態のドア２ｃにおいて、ドア体２０の表面からドア内部方向へ向けて、より具体的には、ドア２ｃの戸先から凹状に陥没する方向（図２４のｘ方向右側）に対して、凹部Ｃｃ１が陥設されている。凹部Ｃｃ１が陥設されることによって手掛け部１１１および対向面Ｏｓ１が形成される。すなわち、凹部Ｃｃ１は手掛け部１１１を形成する。手掛け部１１１は、凹部Ｃｃ１上に位置する対向面Ｏｓ１から離間し延在する。
【００７９】
手掛け部１１１は、ドア体２０が延在する平面方向（ｚｘ平面方向）において平板状に形成されることにより、ドア２ｃの開閉時にユーザの把持に供される。すなわち、手掛け部１１１は、ユーザによるドア操作に供される。本実施形態の手掛け部１１１は、前述した実施形態のハンドル部と異なり、ドア体２０の表面（ドア面２０ａ）から突出した部分を有さないにも関わらず、ユーザがドア操作を行うことを可能にするので、ノイズレスデザインをより高度に実現することが可能である。
【００８０】
なお、本実施形態に於いて、手掛け部１１１は、図２２および図２３に示すように、ドア体２０の上端から下端に亘って延在してもよいし、ユーザの操作に供される箇所のみに、例えばドア体２０の上下方向（ｚ方向）中央部のみに限定して延在してもよい。
【００８１】
図２２ないし図２４から明らかなように、手掛け部１１１の後方面１１１ａ、凹部Ｃｃ１の対向面Ｏｓ１、および凹部Ｃｃ１の底面Ｂｓは、手掛け部１１１によって遮蔽される不可視領域である。
【００８２】
手掛け装置１１は、第１の実施形態のスイッチ３２と同様に機能するスイッチ１１２を備える。スイッチ１１２は、上記した凹部Ｃｃ１上に位置する不可視領域である手掛け部１１１の後方面１１１ａに配置される。なお、スイッチ１１２が、凹部Ｃｃ１の対向面Ｏｓ１または凹部Ｃｃ１の底面Ｂｓに配置されてもよい。
【００８３】
手掛け装置１１は、第１の実施形態の発光部３３と同様に機能する発光部１１３を備える。発光部１１３は、上記した凹部Ｃｃ１上に位置する不可視領域内の任意の位置に配置され得る。発光部１１３は、例えば、手掛け部１１１の後方面１１１ａ、凹部Ｃｃ１の対向面Ｏｓ１、および凹部Ｃｃ１の底面Ｂｓのうち、いずれか１箇所、２箇所、または３箇所全てに設けられる。
【００８４】
なお、本実施形態において、発光部１１３は、図２２および図２３に示すように、ドア体２０の上端から下端に亘って延在してもよいし、スイッチ１１２と略同位置に（すなわち、ドア操作に供される部分に限定して）配置されてもよい。
【００８５】
本実施形態では、以上のように、手掛け装置１１やドア２ｃの前面（すなわち、可視領域）ではなく不可視領域に発光部１１３が設けられているので、ノイズレスデザインを阻害することなく、間接光をユーザに提供することが可能である。また、前述した実施形態と同様に、スイッチ１１２と発光部１１３とが略同位置に配置されているので、スイッチ１１２の位置を発光部１１３の発光によってユーザに報知することが可能である。
【００８６】
＜第９の実施形態＞
次いで、第９の実施形態を説明する。第８の実施形態の手掛け装置１１は上下方向（ｚ方向）に延在するが、本実施形態の手掛け装置１２は左右方向（ｘ方向）に延在する。
【００８７】
図２５は、第９の実施形態のドア２ｄを示す正面図である。本実施形態に係るドア２ｄは、前述の実施形態にて説明されるドア２（２ａ，２ｂ，２ｃ）と同様に、部屋を画成する壁１００に形成された矩形状の開口を塞ぐように設けられる。他の特徴についても同様である。ドア２ｄには、左右方向（ｘ方向）に延在する手掛け装置１２が設けられる。
【００８８】
図２６は、手掛け部１２１を示す断面図である。図２６は、前後方向（ｙ方向）および上下方向（ｚ方向）に拡がる平面（ｙｚ平面）により切断した手掛け部１２１、手掛け装置１２、およびドア体２０の断面を示す側方斜視図である。なお、手掛け装置１２は、ドア２ｄと一体として成形されてもよく（すなわち、手掛け部１２１を備えたドア２ｄとして成形されてもよく）、各々個別に成形された後に互いに組み合わされてもよい。
【００８９】
図２５および図２６に示すように、本実施形態のドア２ｄにおいて、ドア体２０の表面からドア内部方向へ向けて、より具体的には、ドア２ｄのドア面２０ａから凹状に陥没する方向（図２６のｙ方向右側）に対して、凹部Ｃｃ２が陥設されている。凹部Ｃｃ２が開設されることによって手掛け部１２１および対向面Ｏｓ２が形成される。すなわち、凹部Ｃｃ２は手掛け部１２１を形成する。手掛け部１２１は、凹部Ｃｃ２を部分的に覆うように構成され、凹部Ｃｃ２上に位置する対向面Ｏｓ２から離間し延在する。
【００９０】
手掛け部１２１は、ドア体２０が延在する平面方向（ｚｘ平面方向）において平板状に形成されることにより、ドア２ｄの開閉時にユーザの把持に供される。すなわち、手掛け部１２１は、ユーザによるドア操作に供される。本実施形態の手掛け部１２１は、第８の実施形態の手掛け部１１１と同様に、ドア体２０の表面（ドア面２０ａ）から突出した部分を有さないにも関わらず、ユーザがドア操作を行うことを可能にするので、ノイズレスデザインをより高度に実現することが可能である。
【００９１】
なお、本実施形態に於いて、手掛け部１２１は、図２５に示すように、ドア体２０の左端から右端に亘って延在してもよいし、ユーザの操作に供される箇所のみに、例えばドア体２０の左右方向（ｘ方向）の一端部のみ（特に、回動軸のある辺と反対側の辺である端部）に限定して延在してもよい。
【００９２】
図２５および図２６から明らかなように、手掛け部１２１の後方面１２１ａ、凹部Ｃｃ２の対向面Ｏｓ２、および凹部Ｃｃ２の上端面Ｕｓは、手掛け部１２１によって遮蔽される不可視領域である。
【００９３】
手掛け装置１２は、第１の実施形態のスイッチ３２（不図示）と同様に機能するスイッチ１２２を備える。スイッチ１２２は、上記した凹部Ｃｃ２上に位置する不可視領域である手掛け部１２１の後方面１２１ａに配置される。なお、スイッチ１２２が、凹部Ｃｃ２の対向面Ｏｓ２または凹部Ｃｃ２の上端面Ｕｓに配置されてもよい。
【００９４】
手掛け装置１２は、第１の実施形態の発光部３３と同様に機能する発光部１２３を備える。発光部１２３は、上記した凹部Ｃｃ２上に位置する不可視領域内の任意の位置に配置され得る。発光部１２３は、例えば、手掛け部１２１の後方面１２１ａ、凹部Ｃｃ２の対向面Ｏｓ２、および凹部Ｃｃ２の上端面Ｕｓのうち、いずれか１箇所、２箇所、または３箇所全てに設けられる。
【００９５】
なお、本実施形態において、発光部１２３は、図２５に示すように、ドア体２０の左端から右端に亘って延在してもよいし、スイッチ１２２と略同位置に（すなわち、ドア操作に供される部分に限定して）配置されてもよい。
【００９６】
本実施形態では、以上のように、手掛け装置１２やドア２ｄの前面（すなわち、可視領域）ではなく不可視領域に発光部１２３が設けられているので、ノイズレスデザインを阻害することなく、間接光をユーザに提供することが可能である。また、前述した実施形態と同様に、スイッチ１２２と発光部１２３とが略同位置に配置されているので、スイッチ１２２の位置を発光部１２３の発光によってユーザに報知することが可能である。
【００９７】
＜第１０の実施形態＞
次いで、第１０の実施形態を説明する。図２７は、第１０の実施形態のドア２ｅを示す正面図である。本実施形態に係るドア２ｅは、前述の実施形態にて説明されるドア２（２ａ，２ｂ，２ｃ，２ｄ）と同様に、部屋を画成する壁１００に形成された矩形状の開口を塞ぐように設けられる。他の特徴についても同様である。ドア２ｅには、略矩形状をなす手掛け装置１３が設けられる。手掛け装置１３は、ドア２ｅの左右方向（ｘ方向）の中央より左側（回動軸の反対側）、かつ上下方向（ｚ方向）の略中央に設けられる。
【００９８】
図２８は、ドア２ｅに設けられた手掛け装置１３を示す一部拡大斜視図である。手掛け装置１３は、ドア２ｅの開閉に用いられる手掛け部１３１を備えている。手掛け装置１３は、ドア２ｅと一体として成形されてもよく（すなわち、手掛け部１３１を備えたドア２ｅとして成形されてもよく）、各々個別に成形された後に互いに組み合わされてもよい。
【００９９】
図２９は、手掛け部１３１を示す断面図である。図２８は、図２７および図２８におけるＢ−Ｂ’線に沿った、前後方向（ｙ方向）および上下方向（ｚ方向）に拡がる平面（ｙｚ平面）により切断した手掛け部１３１、手掛け装置１３、およびドア体２０の断面を示す側方斜視図である。
【０１００】
図２７ないし図２９に示すように、本実施形態のドア２ｅにおいて、ドア体２０の表面からドア内部方向へ向けて、より具体的には、ドア２ｅのドア面２０ａから凹状に陥没する方向（図２７の紙面奥側、図２９のｙ方向右側）に対して、凹部Ｃｃ３が陥設されている。凹部Ｃｃ３が開設されることによって手掛け部１３１および対向面Ｏｓ３が形成される。すなわち、凹部Ｃｃ３は手掛け部１３１を形成する。手掛け部１３１は、凹部Ｃｃ３を挟んで対向するドア面２０ａを橋渡しするように、かつ凹部Ｃｃ３を部分的に覆うように構成され、凹部Ｃｃ３上に位置する対向面Ｏｓ３から離間し延在する。
【０１０１】
手掛け部１３１は、ドア体２０が延在する平面方向（ｚｘ平面方向）において平板状に形成されることにより、ドア２ｅの開閉時にユーザの把持に供される。すなわち、手掛け部１３１は、ユーザによるドア操作に供される。本実施形態の手掛け部１３１は、第８の実施形態の手掛け部１１１と同様に、ドア体２０の表面（ドア面２０ａ）から突出した部分を有さないにも関わらず、ユーザがドア操作を行うことを可能にするので、ノイズレスデザインをより高度に実現することが可能である。
【０１０２】
なお、本実施形態に於いて、手掛け部１３１は、ドア体２０上の任意の位置に配置されることが可能である。
【０１０３】
図２８および図２９から明らかなように、手掛け部１３１の後方面１３１ａ、凹部Ｃｃ３の対向面Ｏｓ３、および凹部Ｃｃ３上の手掛け部１３１と対向面Ｏｓ３とに挟まれている側面Ｓｓは、手掛け部１３１によって遮蔽される不可視領域である。
【０１０４】
手掛け装置１３は、第１の実施形態のスイッチ３２と同様に機能するスイッチ１３２を備える。スイッチ１３２は、上記した凹部Ｃｃ３上に位置する不可視領域である手掛け部１３１の後方面１３１ａに配置される。なお、スイッチ１３２が、凹部Ｃｃ３の対向面Ｏｓ３または凹部Ｃｃ２の側面Ｓｓに配置されてもよい。
【０１０５】
手掛け装置１３は、第１の実施形態の発光部３３と同様に機能する発光部１３３を備える。発光部１３３は、上記した凹部Ｃｃ３上に位置する不可視領域内の任意の位置に配置され得る。発光部１３３は、例えば、手掛け部１３１の後方面１３１ａ、凹部Ｃｃ３の対向面Ｏｓ３、および凹部Ｃｃ３の側面Ｓｓのうち、いずれか１箇所、２箇所、または３箇所全てに設けられる。発光部１３３は、スイッチ１３２と略同位置に設けられてもよい。
【０１０６】
本実施形態では、以上のように、手掛け装置１３やドア２ｅの前面（すなわち、可視領域）ではなく不可視領域に発光部１３３が設けられているので、ノイズレスデザインを阻害することなく、間接光をユーザに提供することが可能である。また、前述した実施形態と同様に、スイッチ１３２と発光部１３３とが略同位置に配置されているので、スイッチ１２２の位置を発光部１２３の発光によってユーザに報知することが可能である。
【０１０７】
＜変形例＞
上記した実施形態は多様に変形される。以下に実施形態の変形例を示す。
【０１０８】
第８の実施形態において、手掛け部１１１について、ドア体２０の表面からドア内部方向へ陥設された凹部Ｃｃ１上に位置する対向面Ｏｓ１から離間し延在する構成であれば、任意の構成が採用され得る。例えば、図３０のように、ドア２ｃのドア面２０ａから凹状に陥没する方向（図３０のｙ方向上側）に対して凹部Ｃｃ１が陥設され、凹部Ｃｃ１を部分的に覆うように延在する２箇所の手掛け部１１１が採用されてもよい。また、図３１の左右どちらか一方の手掛け部１１１のみを備える構成も当然に採用可能である。なお、手掛け部１１１は、直線状に形成される構成に限られず、曲線状に形成されてもよい。
【０１０９】
第９の実施形態において、手掛け部１２１について、ドア体２０の表面からドア内部方向へ陥設された凹部Ｃｃ２上に位置する対向面Ｏｓ２から離間し延在する構成であれば、任意の構成が採用され得る。例えば、図３１のように、ドア２ｄのドア面２０ａから凹状に陥没する方向（図３１のｙ方向右側）に対して凹部Ｃｃ２が陥設され、凹部Ｃｃ２を部分的に覆うように延在する２箇所の手掛け部１２１が採用されてもよい。なお、手掛け部１２１は、直線状に形成される構成に限られず、曲線状に形成されてもよい。
【０１１０】
第１０の実施形態において、手掛け部１３１について、ドア体２０の表面からドア内部方向へ陥設された凹部Ｃｃ３上に位置する対向面Ｏｓ３から離間し延在する構成であれば、任意の構成が採用され得る。例えば、円形状に形成された凹部Ｃｃ３の全周に亘って手掛け部１３１が形成されてもよい。
【０１１１】
本発明は、その要旨または主要な特徴から逸脱することなく、他の様々な形で実施することができる。そのため、前述の実施の形態は、あらゆる点で単なる例示に過ぎず、限定的に解釈してはならない。本発明の範囲は、特許請求の範囲によって示すものであって、明細書本文には、何ら拘束されない。更に、特許請求の範囲の均等範囲に属する全ての変形、様々な改良、代替および改質は、全て本発明の範囲内のものである。なお、第１〜第５の実施形態において、ハンドル装置が基部を含むものとしたが、基部を含まないハンドル装置についても本発明に含まれるものとする。
【０１１２】
＜実施形態の概要＞
上記した実施形態（特に、第１から第６の実施形態）は、以下のように表現することが可能である。
【０１１３】
［項目１］
ハンドル装置が、ドアに固定可能に構成された基部と、前記基部に接続されて該基部から前記ドア面に直交する方向における一方に突出する少なくとも１つの突出部と、該突出部に接続され該突出部の突出方向に交差する一方向に延在するハンドル体とを有するハンドル部と、前記ハンドル体における前記基部と対向する面、前記突出部における前記ハンドル体が延在する側の側面、または、前記基部における前記ハンドル体と対向する面の少なくともいずれかに配置される発光部とを備える。
【０１１４】
［項目２］
項目１に記載のハンドル装置において、前記ハンドル体は、上下方向に延在することが可能である。
【０１１５】
［項目３］
項目１に記載のハンドル装置において、前記ハンドル体は、左右方向に延在することが可能である。
【０１１６】
［項目４］
項目１〜項目３のいずれかに記載のハンドル装置において、前記ハンドル体は、前記ハンドル体の延在方向に互いに異なる位置に設けられた２つの突出部間を接続するように延在することが可能である。
【０１１７】
［項目５］
項目１〜項目４のいずれかに記載のハンドル装置において、前記発光部は、前記ハンドル体における前記基部と対向する面に配置されることが可能である。
【０１１８】
［項目６］
項目１〜項目４のいずれかに記載のハンドル装置において、前記発光部は、前記突出部における前記ハンドル体が延在する側の側面に配置されることが可能である。
【０１１９】
［項目７］
項目１〜項目４のいずれかに記載のハンドル装置において、前記発光部は、前記基部における前記ハンドル体と対向する面に配置されることが可能である。
【０１２０】
［項目８］
別のハンドル装置は、ドアに取り付けられるハンドル装置であって、前記ドアのドア面に直交する方向における一方に突出する少なくとも１つの突出部と、該突出部に接続され該突出部の突出方向に交差する一方向に延在するハンドル体とを有するハンドル部と、前記ハンドル体における前記ドア面と対向する面、または、前記突出部における前記ハンドル体が延在する側の側面の少なくともいずれかに配置される発光部とを備える。
【０１２１】
［項目９］
ドアが、項目１〜項目８のいずれかに記載のハンドル装置を備える。
［項目１０］
別のドアは、ドア面が形成されたドア体と、前記ドア面に直交する方向における一方に突出する少なくとも１つの突出部と、前記突出部に接続され該突出部の突出方向に交差する一方向に延在するハンドル体と、前記ドア面における前記ハンドル体と対向する領域に設けられる発光部とを備える。
【符号の説明】
【０１２２】
３    ハンドル装置（ドア操作装置）
３０    基部
３１    ハンドル部（操作部）
３３    発光部
３０１ａ  前方面
３１１    突出部
３１１ａ  側方面
３１２    ハンドル体
３１２ａ  後方面
【図１】
2019011672.tif 000003
【図２】
2019011672.tif 000004
【図３】
2019011672.tif 000005
【図４】
2019011672.tif 000006
【図５】
2019011672.tif 000007
【図６】
2019011672.tif 000008
【図７】
2019011672.tif 000009
【図８】
2019011672.tif 000010
【図９】
2019011672.tif 000011
【図１０】
2019011672.tif 000012
【図１１】
2019011672.tif 000013
【図１２】
2019011672.tif 000014
【図１３】
2019011672.tif 000015
【図１４】
2019011672.tif 000016
【図１５】
2019011672.tif 000017
【図１６】
2019011672.tif 000018
【図１７】
2019011672.tif 000019
【図１８】
2019011672.tif 000020
【図１９】
2019011672.tif 000021
【図２０】
2019011672.tif 000022
【図２１】
2019011672.tif 000023
【図２２】
2019011672.tif 000024
【図２３】
2019011672.tif 000025
【図２４】
2019011672.tif 000026
【図２５】
2019011672.tif 000027
【図２６】
2019011672.tif 000028
【図２７】
2019011672.tif 000029
【図２８】
2019011672.tif 000030
【図２９】
2019011672.tif 000031
【図３０】
2019011672.tif 000032
【図３１】
2019011672.tif 000033